(57)【要約】【課題】ディジタルカメラで撮影した原画像を印刷画像として使用する際、印刷画像の品質を確保し得る最大サイズを見出す。【解決手段】ディジタルカメラの総画素数Ｑ、アスペクト比Ａ＝ｘ：ｙを入力させるとともに、印刷画像として必要な解像度ｋを入力させ、総画素数Ｑ、アスペクト比Ａに基づいて算出する縦横の画素数Ｑｙ  、Ｑｘ  から、必要な解像度ｋを実現し得る印刷画像の縦横の最大サイズＹ、Ｘを計算して表示する。【選択図】  図１
2004186948.tif 000002
【特許請求の範囲】
【請求項１】
ディジタルカメラで撮影した原画像を印刷画像として使用するに際し、ディジタルカメラの総画素数、アスペクト比に基づいて算出する縦横の画素数から、必要な解像度を実現し得る印刷画像の最大サイズを計算して表示することを特徴とする印刷画像のサイズ計算方法。
【請求項２】
ディジタルカメラの総画素数、アスペクト比を入力させるとともに、印刷画像として必要な解像度を入力させ、前記総画素数、アスペクト比に基づいて算出する縦横の画素数から、前記解像度を実現し得る印刷画像の最大サイズを計算して表示することを特徴とする印刷画像のサイズ計算プログラム。
【請求項３】
前記総画素数は、万画素、メガピクセルのいずれかの単位を選択して任意の数値入力を可能とすることを特徴とする請求項２記載の印刷画像のサイズ計算プログラム。
【請求項４】
前記アスペクト比は、複数の固定比のいずれか、もしくは任意比を選択して入力可能であることを特徴とする請求項２または請求項３記載の印刷画像のサイズ計算プログラム。
【請求項５】
前記解像度は、ｄｐｉ  、ｐｐｃ  のいずれかの単位を選択して任意の数値入力を可能とすることを特徴とする請求項２ないし請求項４のいずれか記載の印刷画像のサイズ計算プログラム。
【請求項６】
前記解像度は、複数の固定解像度のいずれかを選択して入力可能であることを特徴とする請求項２ないし請求項４のいずれか記載の印刷画像のサイズ計算プログラム。
【請求項７】
前記印刷画像の最大サイズを表示するとともに、前記縦横の画素数を表示することを特徴とする請求項２ないし請求項６のいずれか記載の印刷画像のサイズ計算プログラム。
【発明の詳細な説明】
【０００１】
【発明の属する技術分野】
この発明は、ディジタルカメラによって撮影した画像を商用印刷に使用する際に、印刷画像の品質を確保し得る最大サイズを簡単に見出すことができる印刷画像のサイズ計算方法と、そのプログラムに関する。
【０００２】
【従来の技術】
ディジタルカメラの普及に伴い、ディジタルカメラで撮影した画像を商用印刷物に転用して掲載するケースが急激に増加しつつある。
【０００３】
一般に、商用印刷物は、一定以上の品質を実現するために、印刷画像の解像度を一定以上にする必要がある。一方、ディジタルカメラで撮影した原画像は、それ自体の総画素数がディジタルカメラの性能によって決まっているので、従来のフィルムカメラによる原画像に比して、印刷画像としての最大サイズが小さく抑えられるという事情がある。原画像の総画素数が少ない場合に印刷画像のサイズを大きくすると、印刷画像の解像度が不足して、その品質を確保することができなくなってしまうからである。
【０００４】
【発明が解決しようとする課題】
しかしながら、ディジタルカメラの使用者は、原画像の総画素数に起因する印刷画像のサイズの制約に関し、何らの情報や知識を持ち合わせていないのが普通であるので、ディジタルカメラで撮影した原画像を商用印刷物に掲載しようとすると、印刷業者との間で思わぬトラブルが発生しがちであるという問題があった。
【０００５】
そこで、この発明の目的は、かかる従来技術の問題に鑑み、ディジタルカメラの総画素数、アスペクト比に基づいて印刷画像の最大サイズを簡単に見出すことができる印刷画像のサイズ計算方法と、そのプログラムを提供することにある。
【０００６】
【課題を解決するための手段】
かかる目的を達成するためのこの出願に係る第１発明の構成は、ディジタルカメラで撮影した原画像を印刷画像として使用するに際し、ディジタルカメラの総画素数、アスペクト比に基づいて算出する縦横の画素数から、必要な解像度を実現し得る印刷画像の最大サイズを計算して表示することをその要旨とする。
【０００７】
第２発明の構成は、ディジタルカメラの総画素数、アスペクト比を入力させるとともに、印刷画像として必要な解像度を入力させ、総画素数、アスペクト比に基づいて算出する縦横の画素数から、解像度を実現し得る印刷画像の最大サイズを計算して表示することをその要旨とする。
【０００８】
なお、総画素数は、万画素、メガピクセルのいずれかの単位を選択して任意の数値入力を可能とすることができ、アスペクト比は、複数の固定比のいずれか、もしくは任意比を選択して入力可能とすることができる。
【０００９】
また、解像度は、ｄｐｉ  、ｐｐｃ  のいずれかの単位を選択して任意の数値入力を可能としてもよく、複数の固定解像度のいずれかを選択して入力可能としてもよい。
【００１０】
さらに、印刷画像の最大サイズを表示するとともに、縦横の画素数を表示することができる。
【００１１】
【作用】
かかる第１発明の構成によるときは、ディジタルカメラの総画素数、アスペクト比が与えられると、必要な解像度を実現し得る印刷画像の最大サイズを簡単に見出すことができる。なお、このときの計算内容の概略は、次のとおりである。
【００１２】
いま、ディジタルカメラの総画素数Ｑ、アスペクト比Ａ＝ｘ：ｙ（ただし、ｘ／ｙは、横／縦の寸法比率）とし、印刷画像として必要な解像度ｋとする。ディジタルカメラの画素配列は、一般に縦横等ピッチであるから、縦横の画素数Ｑｙ  、Ｑｘ  は、中間値Ｃ＝（Ｑ／（ｘｙ））１／２  として、
Ｑｙ  ＝Ｃｙ＝（Ｑｙ／ｘ）１／２
Ｑｘ  ＝Ｃｘ＝（Ｑｘ／ｙ）１／２
として算出することができる。ディジタルカメラの縦横の画素配列のピッチに比例する定数ｐとすれば、
Ｑ＝Ｑｙ  Ｑｘ
Ｑｙ  ＝ｙ／ｐ
Ｑｘ  ＝ｘ／ｐ
が成立し、したがって、
Ｑ＝ｘｙ／ｐ２
１／ｐ＝（Ｑ／（ｘｙ））１／２  ＝Ｃ
が成立するからである。よって、解像度ｋを実現し得る印刷画像の縦横の最大サイズＹ、Ｘは、
Ｙ＝Ｑｙ  ／ｋ
Ｘ＝Ｑｘ  ／ｋ
として計算することができる。
【００１３】
第２発明の構成によるときは、ディジタルカメラの総画素数、アスペクト比を入力させ、印刷画像として必要な解像度を入力させることにより、これらの入力データを使用し、第１発明におけると同様の計算手法を適用して、必要な解像度を実現し得る印刷画像の最大サイズを計算して表示することができる。なお、第２発明に係るプログラムは、ディジタルカメラに実装してディジタルカメラの使用者に使用させる他、ディジタルカメラで撮影した画像を取り扱う機会が多い年賀状作成プログラムなどに組み込んだり、単独のアプリケーションプログラムとして販売拡布したり、インターネット上において、いわゆるＡＳＰ（Ａｐｐｌｉｃａｔｉｏｎ  Ｓｅｒｖｉｃｅ  Ｐｒｏｖｉｄｅｒ）形式により不特定のアクセス者に使用させたりすることができる。
【００１４】
総画素数は、万画素、メガピクセルのいずれかの単位を選択可能とすることにより、ディジタルカメラの性能表示に適合させることができる。ディジタルカメラの総画素数は、これらのいずれかの単位によって表示されているからである。
【００１５】
アスペクト比は、たとえば４：３、３：２などの複数の固定比のいずれか、もしくは任意の数値指定が可能な任意比を選択可能とすることにより、いわゆるパノラマ撮影可能形を含むあらゆるディジタルカメラに対応させることができる。
【００１６】
印刷画像の必要な解像度は、ｄｐｉ  （ｄｏｔ  ｐｅｒ  ｉｎｃｈ）、ｐｐｃ  （ｐｉｘｅｌ  ｐｅｒ  ｃｅｎｔｉｍｅｔｅｒ）のいずれかの単位が使用されるので、それらを選択可能とするのが便利である。なお、一般の商用印刷では、３００〜３５０ｄｐｉ  の解像度が必要であるので、これを数値入力させる他、たとえば最低解像度３００ｄｐｉ  、標準解像度３５０ｄｐｉ  を固定解像度として用意し、ワンクリック操作により選択可能とすれば、一層便利である。ただし、必要な解像度の単位としてｄｐｉ  が選択された場合、最大サイズＹ、Ｘは、それぞれの算出数値を２．５４倍することにより、単位をｃｍに換算するものとする。
【００１７】
印刷画像の最大サイズに加えて、縦横の画素数を表示すれば、それを使用することにより、印刷画像の品質をあらかじめ適確に予測することが可能である。
【００１８】
【発明の実施の形態】
以下、図面を以って発明の実施の形態を説明する。
【００１９】
印刷画像のサイズ計算プログラムは、たとえば図１の表示画面を使用して、図２のプログラムフローチャートに従って作動する。
【００２０】
図１において、表示画面は、上から下に、データ入力エリアＳａ  、Ｓｂ  、Ｓｃ  、指示エリアＳｄ  、表示エリアＳｅ  に区分されている。
【００２１】
データ入力エリアＳａ  は、ディジタルカメラの総画素数から計算する場合のデータ入力用の領域であり、左半分において、万画素またはメガピクセルのいずれかの単位を選択して総画素数Ｑの数値入力が可能であり、右半分において、４：３、３：２の固定比、または任意の数値を入力する任意比のいずれかにより、アスペクト比Ａ＝ｘ：ｙを選択して入力することができる。データ入力エリアＳｂ  は、ディジタルカメラの横／縦のピクセル数（画素数）から計算する場合のデータ入力用の領域であり、ディジタルカメラの横／縦の画素数Ｑｘ  、Ｑｙ  を数値入力することができる。さらに、データ入力エリアＳｃ  は、印刷画像の必要な解像度のデータ入力用の領域であり、左半分において、ｄｐｉ  、ｐｐｃ  のいずれかの単位を選択して、必要な解像度ｋを数値入力することができる。また、右半分において、印刷画像の最低解像度、標準解像度をワンクリック入力するためのボタンが配置されている。
【００２２】
指示エリアＳｄ  は、計算指示、クリア指示を与える領域であり、それぞれの指示用のボタンが左右に配置されている。また、表示エリアＳｅ  には、計算結果としての印刷画像の横／縦の最大サイズＸ、Ｙをｃｍ単位に数値表示する表示窓が用意されている。
【００２３】
印刷画像のサイズ計算プログラムは、起動されると、図１の表示画面を表示した上（図２のプログラムステップ（１）、以下、単に（１）のように記す）、総画素数から計算するか（２）、横／縦のピクセル数（画素数）から計算するか（３）の選択指示を待って待機する（（２）、（３）、（２））。ただし、この選択指示は、それぞれデータ入力エリアＳａ  、Ｓｂ  の各左上隅の表示を選択して指示することができる。総画素数からの計算が指示されると（２）、データ入力エリアＳａ  において、万画素、メガピクセルのいずれかの単位を選択して、ディジタルカメラの総画素数Ｑが数値入力されるのを待ち（４）、さらに、固定比を選択して、または任意比の数値を入力してアスペクト比Ａ＝ｘ：ｙが入力されるのを待つ（５）。一方、ピクセル数からの計算が指示されると（３）、データ入力エリアＳｂ  において、ディジタルカメラの横／縦の各画素数Ｑｘ  、Ｑｙ  が数値入力されるのを待つ（６）。
【００２４】
その後、プログラムは、データ入力エリアＳｃ  の左半分を使用して、印刷画像の必要な解像度ｋがｄｐｉ  、ｐｐｃ  のいずれかの単位を選択して数値入力されるか（７）、データ入力エリアＳｃ  の右半分を使用して、あらかじめ用意されている最低解像度または標準解像度が選択されるかを待つ（８）。
【００２５】
つづいて、プログラムは、指示エリアＳｄ  の計算指示用のボタンを介して計算指示が与えられると（９）、先きに述べた計算手順に従って印刷画像の縦横の最大サイズＹ、Ｘを計算し（１０）、計算結果を表示エリアＳｅ  の表示窓に表示する（１１）。ただし、ピクセル数から計算する場合、プログラムステップ（６）において、横／縦の画素数Ｑｘ  、Ｑｙ  が既に数値入力されているので、プログラムステップ（１０）の計算内容は、単にそれらを解像度ｋにより割算するだけでよい。また、プログラムは、総画素数から計算する場合、印刷画像の最大サイズＹ、Ｘを表示エリアＳｅ  に表示するとともに、計算の途中結果として得られる縦横の画素数Ｑｙ  、Ｑｘ  をデータ入力エリアＳｂ  のピクセル数の数値入力窓に併せて表示してもよい。
【００２６】
一方、プログラムは、指示エリアＳｄ  においてクリア指示用のボタンを介してクリア指示が与えられると（１２）、表示画面上のすべてのデータをクリアして（１３）、新しい表示画面を表示した上（１）、次の指示を待って待機する（（２）、（３）、（２））。
【００２７】
以上の説明において、図１のデータ入力エリアＳｂ  は、単なる表示エリアに変更し、総画素数から計算する場合の縦横の画素数Ｑｙ  、Ｑｘ  の表示機能のみができるようにしてもよい。ただし、このとき、図２のプログラムフローチャートは、プログラムステップ（２）、（３）、（６）を削除するものとする。なお、図１の表示画面のレイアウトは、単なる一例であって、図示以外の任意の形式に変更可能である。また、図１の表示画面とともに、プログラムの使用方法、用語解説などの任意のヘルプ画面を同時に併行して表示することができる。
【００２８】
【発明の効果】
以上説明したように、この出願に係る第１発明によれば、ディジタルカメラの総画素数、アスペクト比に基づいて算出する縦横の画素数から、必要な解像度を実現し得る印刷画像の最大サイズを計算して表示することができるから、ディジタルカメラによって撮影した画像を商用印刷に使用する際に、印刷画像の品質を確保し得る最大サイズを簡単に見出すことができ、印刷業者との間でトラブルを生じたりするおそれを未然に排除することができるという優れた効果がある。
【００２９】
第２発明によれば、ディジタルカメラの総画素数、アスペクト比を入力させ、印刷画像として必要な解像度を入力させることによって、第１発明を容易に実行することができ、ディジタルカメラに実装することを含む多様な用途に使用することができる。
【図面の簡単な説明】
【図１】表示画面のレイアウト図
【図２】プログラムフローチャート
【符号の説明】
Ｑ…総画素数
Ａ＝ｘ：ｙ…アスペクト比
ｋ…解像度
Ｑｙ  、Ｑｘ  …画素数
Ｙ、Ｘ…最大サイズ
【図１】
2004186948.tif 000003
【図２】
2004186948.tif 000004